(57)【特許請求の範囲】
【請求項１】
外壁として立設する面板ガラスの突き合わせ部の片側又は両側に面板ガラスの縦辺と直角にリブ板ガラスを設けたガラススクリーン構造において、面板ガラス及びリブ板ガラスの上端を上部躯体に吊下げ固定し、面板ガラス同士の隣接縦縁とリブ板ガラスとの突き合わせ部分には構造用シーリング材を充填させると共に、リブ板ガラスの下端に冠着した下部枠の面板ガラスとの反当接側縦縁にヒンジを設け、該ヒンジを中心としてリブ板ガラス用の下部枠を面板ガラス用の下部枠と分離して円弧状に可動可能としたことを特徴とするリブガラススクリーンの耐震構造。
【請求項２】
前記耐震構造を出入口等の風除室上に設けたことを特徴とする請求項１記載のリブガラススクリーンの耐震構造。
【請求項３】
前記リブガラス用下部枠内とリブガラス間に充填するシール材を低モジュラスとし、面板ガラス用下部枠内と面板ガラス間の室内側にガスケット材、室外側に低モジュラスシール材を充填させたことを特徴とする請求項１または２記載のリブガラススクリーンの耐震構造。
【請求項４】
リブガラスのヒンジ側の下部端面と、リブガラス用下部枠間に硬質樹脂等からなるスペーサーを設けたことを特徴とする請求項１乃至３のいずれかに記載のリブガラススクリーンの耐震構造。
【請求項５】
面板ガラス同士の突き合わせ目地部位置で、面板ガラスと面板ガラス用下部枠間に目地幅よりも幅広の硬質樹脂等からなるスペーサーを設けたことを特徴とする請求項１乃至４のいずれかに記載のリブガラススクリーンの耐震構造。
【発明の詳細な説明】
【０００１】
【発明の属する技術分野】
本発明は、リブ板ガラスによるガラススクリーンの耐震構造に関する。
【０００２】
【従来の技術】
建物の外壁として大板ガラスを用いて大開口部を構成するガラススクリーン工法のうちリブガラス（ガラス方立）を用いる工法としては、ガラススタビライザー工法、吊り下げスタビライザー工法が良く知られている。
【０００３】
ガラススタビライザー工法はガラス方立付き自立工法とも呼ばれ、リブガラス（方立ガラス、ガラススタビライザーとも云う）を用いて、面板ガラスの自重による撓みと面板ガラスに加わる風荷重とを支持する工法であり、
また、吊り下げスタビライザー工法はガラス板の上辺部を吊り下げると共にリブガラスを用いてガラス板の自重による撓みを防ぐ工法であり、開口部のガラス板の高さが高い場合に良く用いられている工法である。
【０００４】
前記リブガラスを用いたガラススクリーンの構成としては片リブ、両リブ、貫通リブの三種類が従来より良く知られているが、、
前記リブガラスを用いたガラススクリーンは、複数枚の面板ガラスの縦辺を突き合うようにして立設させ、突き合わせ部分とは直角方向に室内側又は室外側のいずれか一方にリブ板ガラスを立設させ、各面板ガラス間の突き合わせの目地部分に構造用シーリング材を充填させて前記立設したリブ板ガラス間にシールさせた片リブ構造が最も多く使用されている。
【０００５】
【発明が解決しようとする課題】
前記リブ板ガラスを用いたガラススクリーンにおいて、地震等の発生により、層間変位が起こり、面板ガラスの面に平行な方向に上部枠または下部枠が移動し、上部枠と下部枠の位置がずれると、面板ガラスは上部枠または下部枠の移動に合わせてロッキングしようと傾くが、リブ板ガラスはその上端と下端がそれぞれ上部枠、下部枠に呑み込まれており、しかも図８に示すように面板ガラスとリブ板ガラスの下部枠が連結一体化しているので、強制的に左右に傾きが生じ、リブ板ガラスの面外方向にＳ字変形を起こすこととなり、リブ板ガラスが破損し易いという問題点があった。
【０００６】
また、図４に示すように、高さ方向の長さが長い面板ガラスによるガラススクリーンに於いて、特に、出入り口ドア用として風除室をガラススクリーンの途中に設ける場合等においては、高さの異なる面板ガラスが並設されることになり、風除室のない部分の面板ガラスの高さと、風除室のある部分の面板ガラスの高さが異なるが、層間変位が発生すると下部枠と風除室の周囲枠が連結しているために下部枠の移動量に相当する長さ分だけ、風除室の周囲枠の上部も移動することになる。
【０００７】
層間変位によって、上辺側を揃えて下辺側の高さの異なるガラス板の下部枠が同一量移動すると、高さ方向の長さの長い面板ガラスの風除室の上辺位置に相当する部分の移動量は、風除室上の高さ方向の長さの短い面板ガラスの下辺の移動量より少なくなるため、高さ方向の長さの短い面板ガラスが、高さ方向の長さの長い面板ガラスと衝突することになるが、各面板ガラスがロッキングするときに各縦端辺同士が緩衝し合って、移動量の大きな風除室上の面板ガラスは移動量が制限されることになる。
【０００８】
しかしながら、風除室の上部の面板ガラスに設けたリブ板ガラスは、層間変位によって移動する高さ方向の長さの長い面板ガラスの下部枠の移動量と同量だけ移動しようとするため、風除室の上部の面板ガラスの下辺の移動量が前記理由で制限されるのに対し、リブ板ガラスの移動量は制限されずに大きな移動量となって、リブ板ガラスが破損してしまうという問題点があった。
【０００９】
【課題を解決するための手段】
本発明は、リブ板ガラスを有するガラススクリーンにおいて、特に出入り口等の風除室等を有し、高さ方向に長さの異なる面板ガラスが混在する場合に、地震等による層間変位によって、面板ガラスと、リブ板ガラスの下辺側の移動量が異なるようなことがあっても、面板ガラスやリブ板ガラスの破損をなくし、また、リブ板ガラスで面板ガラスにかかる面外方向の風荷重を確実に受け止めることを目的とする。
【００１０】
すなわち、本発明は、外壁として立設する面板ガラスの突き合わせ部の片側又は両側に面板ガラスの縦辺と直角にリブ板ガラスを設けたガラススクリーン構造において、面板ガラス及びリブ板ガラスの上端を上部躯体に吊下げ固定し、面板ガラス同士の隣接縦縁とリブ板ガラスとの突き合わせ部分には構造用シーリング材を充填させると共に、リブ板ガラスの下端に冠着した下部枠の面板ガラスとの反当接側縦縁にヒンジを設け、該ヒンジを中心としてリブ板ガラス用の下部枠を面板ガラス用の下部枠と分離して円弧状に可動可能としたことを特徴とするリブガラススクリーンの耐震構造である。
【００１１】
また、本発明は、前記耐震構造を出入口等の風除室上に設けたことを特徴とする上述のリブガラススクリーンの耐震構造である。
【００１２】
さらに、本発明は、前記リブガラス用下部枠内とリブガラス間に充填するシール材を低モジュラスとし、面板ガラス用下部枠内と面板ガラス間の室内側にガスケット材、室外側に低モジュラスシール材を充填させたことを特徴とする上述のリブガラススクリーンの耐震構造である。
【００１３】
さらにまた、本発明は、リブガラスのヒンジ側の下部端面と、リブガラス用下部枠間に硬質樹脂等からなるスペーサーを設けたことを特徴とする上述のリブガラススクリーンの耐震構造である。
【００１４】
さらにまた、本発明は、面板ガラス同士の突き合わせ目地部位置で、面板ガラスと面板ガラス用下部枠間に目地幅よりも幅広の硬質樹脂等からなるスペーサーを設けたことを特徴とする上述のリブガラススクリーンの耐震構造である。
【００１５】
【発明の実施の形態】
リブ板ガラス１を設けたガラススクリーン構造において、並設した複数枚の面板ガラス２、２、・・のそれぞれの上端、および、面板ガラス２、２同士の隣接する突き合わせ縦縁に直交するように立設させたリブ板ガラス１の上端を上部躯体によって吊下げ支持し、面板ガラス２、２同士、およびリブ板ガラス１との突き合わせ部分には高モジュラスな構造用シーリング材４を充填させた。
【００１６】
また、図５に示すような出入り口等の風除室３を有するガラススクリーンにおいて、該風除室３の上部で図７に示されるように配置されたリブガラス１について、図１に示すように、リブ板ガラス１の下端には断面Ｕ字状のリブ用下部枠１１を冠着し、該リブ用下部枠１１の面板ガラス２’との反当接側外側縦縁には床部（風除室の天井部分）に固定したヒンジ１４を設け、該ヒンジ１４を中心軸として面板ガラス２’用の下部枠２１と分離し、連結されていないリブ用下部枠１１を円弧状に可動可能としている。
【００１７】
図２、図７に示すように、リブ板ガラス１は上端部で上部構造駆体によって吊り下げられ、リブ板ガラス１の荷重を上部構造体６に預けているので、リブ用下部枠１１にはリブ板ガラス１の荷重を預けることなく、リブ板ガラス１の下端とＵ字状のリブ用下部枠１１の内側底部間は空間となっており、リブ用下部枠１１のヒンジ１４側の内側端面とリブ板ガラス１の端面との間にはポリカーボネート等の硬質樹脂からなるスペーサー１５を設け、リブ板ガラス１の下端縁の側面とリブ用下部枠１１間には低モジュラスのシーリング材１２を充填した。
【００１８】
図１、図２に示すように、前記リブ用下部枠１１は、扇状のピット１６内で円弧状に可動自在であるが、該扇状のピット１６内にはさらに円弧状溝１７が設けられ、リブ用下部枠の下部に設けたピン１８が該円弧状溝１７の設けられた範囲内で円弧状に可動可能である。
【００１９】
また、図３、図６に示すように、面板ガラス２、２’は、前記リブ板ガラス１と同様に、上端部で上部構造駆体によって吊り下げられ、面板ガラス２、２’の荷重を上部構造に預けているので、面ガラス２、２’用の下部枠２１には面板ガラス２、２’の荷重を預けることなく、面板ガラス２、２’の下端とＵ字状の下部枠２１の内側底部間は空間となっており、面板ガラス２、２’の下端縁の室外側面と下部枠２１間には、バックアップ材２６を設け、該バックアップ材２６、面板ガラス２、２’、下部枠２１の３面で囲まれる部分に雨水等の止水用として、低モジュラスのシーリング材２２を充填し、同ガラス板２、２’の下端縁の室内側面と下部枠２１間には、硬質樹脂からなるガスケット２３を設け、ガスケット２３を面板ガラス２、２’と、下部枠２１に密着させて、雨水等の侵入を防ぐようにした。
【００２０】
前記隣接する面板ガラス２、２、２’、２’同士の突き合わせ端部間の下端部には硬質ゴム製のゴムピース１３を設け、層間変位の発生時に面板ガラス２、２、２’、２’同士が接触しないようにした。
【００２１】
また、該面板ガラス２、２、２’、２’の突き合わせ部の室外側下部には、目地幅よりも幅広で下部枠２１の内側の深さよりも浅く、前記目地を覆い、また隣接する２枚の面板ガラス２、２’の下端部に当接するスペーサー２５を配設し、該スペーサー２５、面板ガラス２、２’、下部枠２１の３面で囲まれた空間に低モジュラスのシール材を、止水用として充填した。
【００２２】
前記リブ板ガラス１、および面板ガラス２、２’のいずれに於いてもそれぞれの上端を図示しない挟持部材等で挟持させて吊下げ、該挟持部材を上部構造駆体にて支持させるが、挟持部材の周辺にはそれぞれリブ用上部枠１０、上部枠２０を設けた。
【００２３】
図３に示すように、面板ガラス２、２’の下端部の室外側と下部枠２１間を低モジュラスのシール材２２とし、室内側と下部枠２１間には硬質部材からなるガスケット２３を設けたのは、地震による層間変位によって面板ガラス２、２’のロッキングを容易となるようにするとともに、室外側は雨水の浸入する可能性が高いので低モジュラスの軟質のシール材２２によって雨水の浸入を防ぐようにしたものであり、室内側は雨水の浸入の恐れがないので面板ガラス２、２’がロッキング時に滑りやすいガスケット２３とした。
【００２４】
また、面板ガラス２、２、２’、２’同士の突き合わせ縦辺の下部に硬質ゴムからなるゴムピース１３を設けたのは、図４に示すように、地震による層間変位が発生し、面板ガラス２、２’がロッキングしたときに、風除室３上の高さ方向の長さの短い面板ガラス２’と、風除室３でない部分の高さ方向の長さの長い面板ガラス２の、風除室３上近傍高さの移動量の違いによって面板ガラス２、２または２’、２’同士の接触を防ぎ、面板ガラス２、２’の破損を防ぐものである。
【００２５】
図１、図２に示すように、リブ板ガラス１の下端を囲繞するリブ用下部枠１１をヒンジ１４を回転軸として旋回自在としたのは、地震による層間変位によって、面板ガラス２、２’のそれぞれがロッキングしたときに、風除室３上の面板ガラス２’と、風除室３がない部分の面板ガラス２の、風除室３の天井高さ位置の面板ガラス２、２’の移動量の違いによって面板ガラス２、２’同士の衝突を硬質ゴムからなるゴムピース１３によって防ぎ、該ゴムピース１３によって移動量を制限された面板ガラス２’の動きに、リブ板ガラス１を追従させるもので、これによってリブ板ガラス１の破損を防ぐことができる。
【００２６】
また、図２に示すように、リブ板ガラス１は上端部で上部構造駆体によって吊り下げられ、リブ板ガラス１の荷重を上部構造体６に預けているので、リブ用下部枠１１にはリブ板ガラス１の荷重を預けることなく、リブ板ガラス１の移動は容易である。
【００２７】
また、同じく図２において、リブ用下部枠１１のヒンジ１４側の内側端面とリブ板ガラス１の端面との間にはポリカーボネート等の硬質樹脂からなるスペーサー１５を設けたことにより、面板ガラス２、２’の面外方向に加わる風圧等の正圧の荷重をリブ板ガラス１の室内側端部のスペーサー１５によって受け止めることができる。
【００２８】
さらに、図１、図２に示すように、面板ガラス同士の突き合わせ部の室外側下端部に設けたスペーサー２５によって、面板ガラスの面外方向に加わる負圧等の荷重を受け止めることができる。
」  このように、出入り口等の風除室３を有するリブガラススクリーンにおいて、風除室３のある部分と無い部分との違いによって、高さの異なる面板ガラス２、２’が混在した場合に、地震等による層間変位が発生しても、リブ板ガラス１をヒンジ１４を軸として回動可能にしたので、面板ガラス２、２’のロッキングの移動に追従でき、リブ板ガラス１の破損を防止できるが、風除室３のないリブガラススクリーンにおいても本発明のリブガラス１の支持構造は有効である。
【００２９】
以上好適な実施の形態について述べたが、本発明はこれに限定されるものではなく種々の応用が考えられるものである。
【００３０】
リブガラス１と面板ガラス２、２’間に充填する弾性の構造用シーリング材４としては、高モジュラスな弾性シーリング材としてはシリコーン系シーリング材や酢酸型シリコーン系シーリング材を使用する。
【００３１】
また、シール材１２や止水シール２２としては、低モジュラスなシール材とし、シリコーン系シーリング材に限らずポリサルファイド系シーリング材等を使用することができ、
バックアップ材２６は、発泡ポリエチレンまたは、クロロプレンゴムなどを使用し、スペーサー１５、２５としては硬度が９０度程度の硬質ゴム、又はポリカーボネート樹脂等を使用する。
【００３２】
面板ガラス２、リブガラス１としては生板ガラス、半強化ガラス、強化ガラス板、あるいは前記ガラス板を組み合わせＰＶＢ、ＥＶＡで接着あるいは樹脂を注入した合わせガラス板、もしくは前記ガラス板に飛散防止膜を貼着したものでも良い。
【００３３】
さらに、前記ガラス板として装飾模様、パターン等をプリント、塗装、またはコーティングしたガラス板であっても良い。
【００３４】
尚、下部枠２１、およびリブ用下部枠１１の内側底部には、セッティングブロック１９、２４を適当な間隔で配設したが、これは面ガラス板２、２’やリブガラス板の取付施工時にガラス板を仮置きするために使用し、各ガラス板１、２を上端で吊り下げ完了後は、各ガラス板１、２はその荷重をセッティングブロックには預けないので、不要である。
【００３５】
【実施例】
以下、本発明に係わるリブガラススクリーンの耐震工法について、図面に基づき詳細に説明する。
【００３６】
尚、以下に示す寸法は本発明の一実施例として掲げるものであり、この寸法に限定されるものではない。
【００３７】
図１、図４に示すように、風除室３の設けられていない部分に、幅１２４８ｍｍ、高さ８９００ｍｍ、板厚１９ｍｍのフロート板からなる面板ガラス２と、幅３５０ｍｍ、高さ８９００ｍｍ、板厚２２ｍｍのフロート板からなるリブ板ガラス１を設け、風除室３上には、幅１２４８ｍｍ、高さ５７３０ｍｍ、板厚１９ｍｍのフロート板による面板ガラス’と、幅３５０ｍｍ、高さ５７３０ｍｍ、板厚２２ｍｍのフロート板からなるリブ板ガラス１を設けた。
【００３８】
層間変位によって下部枠２１が３２ｍｍ移動したとすると、図４に示すように、高さ方向の長さの長い面板ガラス２、および高さ方向の長さの短い面板ガラス２’のいずれの下辺部もロッキングによって傾き、最大８９ｍｍの長さ分だけ変形しようとした場合、高さ方向の長い面板ガラス２の、風除室上の面板ガラス２’の下辺に相当する位置における移動量は、５７.３ｍｍ（８９ｍｍＸ５,７３０／８,９００）となり、それぞれ移動しようとする距離に３１．７ｍｍの差がある。
【００３９】
しかしながら、面ガラス板２、２’が衝突して、破損しないように面ガラス２の下端部を低モジュラスシール２２とガスケット２３で挟持し、ロッキングしやすくして、面ガラス２’の移動量を制限した。
【００４０】
しかしながら、下部枠２１は８９ｍｍだけ移動するので、リブ用下部枠１１と面板ガラス２用の下部枠２１が一体化し連結していればリブガラス板１の下辺は８９ｍｍの移動を余儀なくされるところであるが、本発明において図１に示すように、リブガラス板１はその下部枠１１と共に、ヒンジ１４を軸として回動可能としたのでリブ板ガラス１はリブ用下部枠１１の動きに追従するのではなく、面板ガラス２’の動きに追従して、動くことになり、層間変位量が±９０ｍｍとすれば、リブ板ガラス１の移動可能量は約±３２ｍｍ程度とすればよい。
【００４１】
地震によって層間変位が発生した時に、下部枠２１と面板ガラス２、２’の動きにズレがあっても、リブ板ガラス１は面板ガラス２、２’に追従した動きとなり、リブ用下部枠１１とリブガラス１の移動量に差異が発生するが、リブ板ガラス１がリブ用下部枠１１に追従して動かないので、極端にＳ字変形することなく、リブガラス１の破損を防ぐことができる。
【００４２】
【発明の効果】
本発明により、地震によって層間変位が発生した時に、リブガラスの下部枠と面ガラスの下部枠を分離し、リブ板ガラスの下部枠を可動としたことにより、並設した複数枚の面板ガラスの一部に風除室を有している場合であっても、層間変位によって風除室上の面板ガラスと他の面板ガラスの変位量の差を吸収する。
【００４３】
つまり、下部枠と面板ガラス２の動きにズレがあっても、リブ板ガラス１は面板ガラスに追従した動きとなり、下部枠とリブガラスの移動量に差異が発生するが、リブ板ガラス１は下部枠に追従せず面板ガラスに追従するので、極端にＳ字変形することなく、リブガラス１の破損を防ぐことができる。
【００４４】
また、面板ガラスが受ける正と負の風圧力をリブガラス、リブガラス板の縦辺近傍に設けたスペーサー、及び構造用シーリング材で確実に受け止めることができる。
【図面の簡単な説明】
【図１】本発明の実施例を説明するリブガラススクリーンの耐震構造の平面図。
【図２】本発明の実施例を説明するリブガラススクリーンの耐震構造の側面図。
【図３】本発明の実施例を説明する面ガラスの縦断面図。
【図４】本発明の実施例を説明するリブガラススクリーンの耐震構造の正面図。
【図５】本発明の実施例を説明するリブガラススクリーンの耐震構造の正面図。
【図６】図５のＡ−Ａ’断面図で、風除室でない部分のリブガラスの耐震構造の側面図。
【図７】図５のＢ−Ｂ’断面図で、風除室上のリブガラスの耐震構造の側面図。
【図８】従来技術であるリブ工法を説明する略平面図。
【符号の説明】
１        リブガラス
２、２’  面板ガラス
３        風除室
４        構造用シーリング材
６        上部構造体
１０        リブ用上部枠
１１        リブ用下部枠
１２        シール材
１３        ゴムピース
１４        ヒンジ
１５        スペーサー
１６        ピット
１７        円弧状溝
１８        ピン
１９        セッティングブロック
２０        上部枠
２１        下部枠
２２        止水シール
２３        ガスケット
２４        セッティングブロック
２５        スペーサー
２６        バックアップ材
【図１】
0003904805.tif 000002
【図２】
0003904805.tif 000003
【図３】
0003904805.tif 000004
【図４】
0003904805.tif 000005
【図５】
0003904805.tif 000006
【図６】
0003904805.tif 000007
【図７】
0003904805.tif 000008
【図８】
0003904805.tif 000009